(57)【要約】【課題】表示装置の小型化と操作性を両立させることができる画像表示装置、画像表示方法および画像表示システムを提供する。【解決手段】画像処理部１０３はイメージセンサ１０２で取り込んだ画像の動き情報を検出し、制御部１０４へ入力する。制御部１０４は画像の動き情報に従い、アングル切り替え制御を決定し、信号送信部１０５へ入力する。信号送信部１０５はネットワーク１２０を介し、映像コンテンツ配信サーバー１１０に対してアングル切り替えのための制御信号を送出する。信号受信部１０６はネットワーク１２０を介し、映像コンテンツ配信サーバー１１０から画像信号を受け取る。ディスプレイ１０１は、信号受信部１０６が受け取った画像情報を表示できる。【選択図】  図１
2007020092.tif 000002
【特許請求の範囲】
【請求項１】
被写体を撮影するイメージセンサと、
前記イメージセンサが撮影した画像から前記被写体の動き情報を検出する画像処理部と、
前記動き情報から画像制御信号を生成する制御部と、
前記画像制御信号に基づいて選択された映像を表示するディスプレイとを備える画像表示装置。
【請求項２】
請求項１記載の画像表示装置であって、
前記画像制御信号を、ネットワークを介して映像コンテンツ配信サーバーに送信する信号送信部と、
前記画像制御信号に基づいて前記映像コンテンツ配信サーバーが選択した映像を、前記ネットワークを介して受信する信号受信部とを備える画像表示装置。
【請求項３】
請求項１記載の画像表示装置であって、
前記イメージセンサは、前記画像表示装置の筐体に、前記ディスプレイの表示面のほぼ垂直方向を撮影可能に設置され、前記ディスプレイを見ているユーザの顔を撮影する画像表示装置。
【請求項４】
請求項３記載の画像表示装置であって、
前記画像処理部は、前記ディスプレイを見ているユーザが前記筐体を傾けた場合に、前記イメージセンサが撮影するユーザの顔の画像の変化に対応して、前記動き情報を検出する画像表示装置。
【請求項５】
請求項４記載の画像表示装置であって、
前記制御部は、ユーザが前記筐体を上方向、下方向、左方向および右方向に傾けることに対応して、上方向、下方向、左方向および右方向の画像制御信号を生成する画像表示装置。
【請求項６】
被写体を撮影するステップと、
撮影した画像から前記被写体の動き情報を検出するステップと、
前記動き情報から画像制御信号を生成するステップと、
前記画像制御信号に基づいて選択された映像を表示するステップとを有する画像表示方法。
【請求項７】
請求項６記載の画像表示方法であって、
前記被写体は、前記映像を見ているユーザの顔である画像表示方法。
【請求項８】
請求項７記載の画像表示方法であって、
前記動き情報を、ユーザの顔の画像の変化に対応して検出する特徴とする画像表示方法。
【請求項９】
請求項６記載の画像表示方法であって、
前記画像制御信号に基づいて、複数台のカメラにより撮影されたマルチアングル映像のアングルを選択するステップを有する画像表示方法。
【請求項１０】
被写体を撮影するイメージセンサと、前記イメージセンサが撮影した画像から前記被写体の動き情報を検出する画像処理部と、前記動き情報から画像制御信号を生成する制御部と、前記画像制御信号に基づいて選択された映像を表示するディスプレイとを備える画像表示装置と、
前記画像表示装置からネットワークを介して前記画像制御信号を受信し、前記画像制御信号に基づいて映像を選択し、選択した映像を前記ネットワークを介して前記画像表示装置に送信する映像コンテンツ配信サーバーとを有する画像表示システム。
【請求項１１】
請求項１０記載の画像表示システムであって、
前記映像コンテンツ配信サーバーは、マルチアングル映像を撮影する複数台のカメラに接続され、
前記画像表示装置から受信した前記画像制御信号に従って、前記マルチアングル映像のアングルを選択する画像表示システム。
【請求項１２】
請求項１０記載の画像表示システムであって、
前記映像コンテンツ配信サーバーは、マルチアングル撮影された映像コンテンツを蓄積するファイルサーバーに接続され、
前記画像表示装置から受信した前記画像制御信号に基づいて、前記映像コンテンツを選択する画像表示システム。
【請求項１３】
被写体を撮影するイメージセンサと、前記イメージセンサが撮影した画像から前記被写体の動き情報を検出する画像処理部と、前記動き情報からアングル制御信号を生成する制御部と、マルチアングル映像を表示するディスプレイとを備える画像表示装置と、
前記マルチアングル映像を保存しており、前記画像表示装置からネットワークを介して前記アングル制御信号を受信し、前記アングル制御信号に基づいて前記マルチアングル映像のアングルを選択し、選択したマルチアングル映像を前記ネットワークを介して前記画像表示装置に送信する映像記録装置とを有する画像表示システム。
【請求項１４】
マルチアングル映像を保存する外部記録媒体と、前記マルチアングル映像を表示する画像表示装置とを有する画像表示システムであって、
前記画像表示装置は、被写体を撮影するイメージセンサと、
前記イメージセンサが撮影した画像から前記被写体の動き情報を検出する画像処理部と、
前記動き情報からアングル制御信号を生成する制御部と、
前記アングル制御信号に基づいて、表示するマルチアングル映像のアングルを選択するファイルシステムとを備える画像表示システム。
【請求項１５】
請求項１４記載の画像表示システムであって、
前記画像表示装置は、前記外部記録媒体から前記マルチアングル映像を複写して格納する記録装置を備える画像表示システム。
【発明の詳細な説明】
【技術分野】
【０００１】
本発明は、複数台のカメラで撮影した画像を表示端末に配信するシステムにおいて、表示端末ユーザがカメラアングルを選択する手段に関するものであり、監視システム、放送システム等の産業分野に利用できるものである。
【背景技術】
【０００２】
従来のテレビ放送では、映像コンテンツのカメラアングルは放送局側が決定している。例えば野球の試合中継番組では、バッター背後からのアングル、ピッチャー背後からのアングル等があるが、それらの切り替えはテレビ局側の判断で行うため、視聴者がカメラアングルを選択して画像を見ることはできない。
【０００３】
ユーザがカメラアングルを選択しながら画像を見る手段として、監視システムやセキュリティ機器に用いられるＣＣＴＶ（閉回路テレビ）システムが挙げられる。ＣＣＴＶシステムではビデオスイッチャを用い、複数台のカメラを表示装置に接続することにより、ユーザが任意のカメラを選択しながら対象を監視できる。
【０００４】
図１４にＣＣＴＶシステムの概略構成を示す。入力部１４０１はユーザが望むカメラアングルを選択させるためのユーザインタフェースブロックである。一般的な入力手段として、キーボード１４０２、ジョイスティック１４０３、マウス１４０４が用いられる。
【０００５】
制御部１４０５はビデオスイッチャ１４０６の制御を行うブロックであり、ユーザの望むアングルが得られるようビデオスイッチャ１４０６を制御する。ビデオスイッチャ１４０６は、複数あるカメラ１４０７から制御部１４０５に指定された１台を選択し、選択したカメラ１４０７からの映像信号をディスプレイ１４０８へ伝える。ディスプレイ１４０８はユーザに対し映像の表示を行う。
【０００６】
ＣＣＴＶシステムの操作性を改善する手段としては、視点変換処理ならびに画像合成処理を用いる方法がある（例えば、特許文献１参照）。
【特許文献１】特開２０００−１５２２１６号公報
【発明の開示】
【発明が解決しようとする課題】
【０００７】
しかしながら、従来の技術には次の問題点がある。第１に、テレビ放送に対しＣＣＴＶシステムの手法を用いる場合、全てのカメラからの入力信号を常時流さねばならない。したがってカメラの数に比例して情報量が膨大となるため、実用に耐えうるためには情報容量の低減が必要である。
【０００８】
第２に、ＣＣＴＶシステムではカメラを選択する入力手段として、マウスやジョイスティックなどのポインティングデバイス及び、キーボードを必要とする。従って、表示装置の小型化と操作性を両立させることができない。
【０００９】
また、携帯電話等の小型装置のティスプレイを表示装置として利用する場合、少数のボタンに対して多数の機能を割り当てる必要があり、操作が複雑化する。また携帯電話において選択操作を行う際には一般的に方向キーを用いるが、方向キーの配置が表示装置デザインに対する制約となる。
【００１０】
本発明は、複数のカメラからの映像を簡単な操作で選択することができ、表示装置の小型化と操作性を両立させることができる画像表示装置、画像表示方法および画像表示システムを提供することを目的としている。
【課題を解決するための手段】
【００１１】
本発明は、ディスプレイとイメージセンサと画像処理部と制御部と信号送信部と信号受信部を備える事を特徴とする。
【００１２】
前記画像表示装置は、有線または無線ネットワークを使用し、映像コンテンツ配信サーバーに対し信号を送受信できる。イメージセンサは装置上に、ユーザ方向を向くように配置されており、表示ディスプレイを見ているユーザ顔周辺の景色を写している。
【００１３】
ユーザからの入力操作は、表示ディスプレイを装置ごと上下左右に傾けることで行う。ユーザが装置を傾けることで、イメージセンサの捉える視野が上下左右に動き、付随してセンサの写像が動かされる。イメージセンサに映された景色は画像処理部に入力され、画像の動き情報が求められる。
【００１４】
制御部は、画像の動き情報からアングル切り替え制御を決定する。制御部からのアングル制御信号は、信号送信部を用い、ネットワーク上の映像コンテンツ配信サーバーに伝えられる。
【００１５】
映像コンテンツ配信サーバーはアングル制御信号で指定されたカメラアングルからの画像信号を、ネットワークを介してユーザに配信する。画像表示装置は信号受信部で画像信号を受信し、ディスプレイに表示することができる。
【００１６】
また、本発明は、被写体を撮影するイメージセンサと、前記イメージセンサが撮影した画像から前記被写体の動き情報を検出する画像処理部と、前記動き情報から画像制御信号を生成する制御部と、前記画像制御信号に基づいて選択された映像を表示するディスプレイとを備えることを特徴とする。
【００１７】
上記構成によれば、イメージセンサが撮影した画像から被写体の動き情報を検出し、被写体の動き情報に応じて映像を選択するので、簡単な操作で映像を選択することができ、画像表示装置の小型化と操作性を両立させることができる。
【００１８】
また、本発明は、前記画像制御信号を、ネットワークを介して映像コンテンツ配信サーバーに送信する信号送信部と、前記画像制御信号に基づいて前記映像コンテンツ配信サーバーが選択した映像を、前記ネットワークを介して受信する信号受信部とを備えることを特徴とする。
【００１９】
また、本発明において、前記イメージセンサは、前記画像表示装置の筐体に、前記ディスプレイの表示面のほぼ垂直方向を撮影可能に設置され、前記ディスプレイを見ているユーザの顔を撮影することを特徴とする。
【００２０】
また、本発明において、前記画像処理部は、前記ディスプレイを見ているユーザが前記筐体を傾けた場合に、前記イメージセンサが撮影するユーザの顔の画像の変化に対応して、前記動き情報を検出することを特徴とする。
【００２１】
また、本発明において、前記制御部は、ユーザが前記筐体を上方向、下方向、左方向および右方向に傾けることに対応して、上方向、下方向、左方向および右方向の画像制御信号を生成することを特徴とする。
【００２２】
また、本発明において、前記映像コンテンツ配信サーバーは、前記画像制御信号に基づいてマルチアングル映像のアングルを選択することを特徴とする。
【００２３】
また、本発明において、前記マルチアングル映像は、前記映像コンテンツ配信サーバーに接続された複数台のカメラが撮影した映像であることを特徴とする。
【００２４】
また、本発明は、被写体を撮影するステップと、撮影した画像から前記被写体の動き情報を検出するステップと、前記動き情報から画像制御信号を生成するステップと、前記画像制御信号に基づいて選択された映像を表示するステップを有することを特徴とする。
【００２５】
上記構成によれば、イメージセンサが撮影した画像から被写体の動き情報を検出し、被写体の動き情報に応じて映像を選択するので、簡単な操作で映像を選択することができ、画像表示装置の小型化と操作性を両立させることができる。
【００２６】
また、本発明において、前記被写体は、前記映像を見ているユーザの顔であることを特徴とする。
【００２７】
また、本発明において、前記動き情報を、ユーザの顔の画像の変化に対応して検出することを特徴とする。
【００２８】
また、本発明は、前記画像制御信号に基づいて、複数台のカメラにより撮影されたマルチアングル映像のアングルを選択するステップを有することを特徴とする。
【００２９】
また、本発明は、被写体を撮影するイメージセンサと、前記イメージセンサが撮影した画像から前記被写体の動き情報を検出する画像処理部と、前記動き情報から画像制御信号を生成する制御部と、前記画像制御信号に基づいて選択された映像を表示するディスプレイとを備える画像表示装置と、前記画像表示装置からネットワークを介して前記画像制御信号を受信し、前記画像制御信号に基づいて映像を選択し、選択した映像を前記ネットワークを介して前記画像表示装置に送信する映像コンテンツ配信サーバーとを有することを特徴とする。
【００３０】
上記構成によれば、イメージセンサが撮影した画像から被写体の動き情報を検出し、被写体の動き情報に応じて映像を選択するので、簡単な操作で映像を選択することができ、画像表示装置の小型化と操作性を両立させることができる。
【００３１】
また、本発明において、前記映像コンテンツ配信サーバーは、マルチアングル映像を撮影する複数台のカメラに接続され、前記画像表示装置から受信した前記画像制御信号に従って、前記マルチアングル映像のアングルを選択することを特徴とする。
【００３２】
また、本発明において、前記映像コンテンツ配信サーバーは、マルチアングル撮影された映像コンテンツを蓄積するファイルサーバーに接続され、前記画像表示装置から受信した前記画像制御信号に基づいて、前記映像コンテンツを選択することを特徴とする。
【００３３】
また、本発明の画像表示システムは、被写体を撮影するイメージセンサと、前記イメージセンサが撮影した画像から前記被写体の動き情報を検出する画像処理部と、前記動き情報からアングル制御信号を生成する制御部と、マルチアングル映像を表示するディスプレイとを備える画像表示装置と、前記マルチアングル映像を保存しており、前記画像表示装置からネットワークを介して前記アングル制御信号を受信し、前記アングル制御信号に基づいて前記マルチアングル映像のアングルを選択し、選択したマルチアングル映像を前記ネットワークを介して前記画像表示装置に送信する映像記録装置とを有することを特徴とする。
【００３４】
また、本発明は、マルチアングル映像を保存する外部記録媒体と、前記マルチアングル映像を表示する画像表示装置とを有する画像表示システムであって、前記画像表示装置は、被写体を撮影するイメージセンサと、前記イメージセンサが撮影した画像から前記被写体の動き情報を検出する画像処理部と、前記動き情報からアングル制御信号を生成する制御部と、前記アングル制御信号に基づいて、表示するマルチアングル映像のアングルを選択するファイルシステムとを備えること特徴とする。
【００３５】
また、本発明において、前記画像表示装置は、前記外部記録媒体から前記マルチアングル映像を複写して格納する記録装置を備えること特徴とする。
【発明の効果】
【００３６】
本発明は、第１の課題である情報量の低減に対し、ユーザの希望するカメラアングルのみの情報を映像コンテンツ配信サーバーから受信することで解決できる。
【００３７】
次に、第２の課題である装置の小型化と操作性の両立に対しては、ユーザが装置全体を動かすことで入力操作を行えるようにする。したがって、マウスやキーボードのない小型装置において、ボタンや方向キーを必要としないアングル切り替え手段が実現できる。
【００３８】
付随的な効果として、装置のボタンや方向キーの減少による部品点数削減が挙げられ、組み立て工程の簡単化、装置使用時の故障率減少が期待できる。
【発明を実施するための最良の形態】
【００３９】
図１は本発明の第１の実施形態における画像表示システムの構成図を示すものである。図１において、画像表示装置１００はディスプレイ１０１、イメージセンサ１０２、画像処理部１０３、制御部１０４、信号送信部１０５、信号受信部１０６で構成されている。
【００４０】
映像コンテンツ配信サーバー１１０は、ネットワーク１２０を介して信号送信部１０５からのアングル制御信号を受信することができる。また映像コンテンツ配信サーバー１１０には、複数台のカメラ１１１が接続されており、ネットワーク１２０を介してカメラ１台分の画像信号を信号受信部１０６へ送信することができる。
【００４１】
ディスプレイ１０１は携帯可能な小型表示部品であり、液晶表示素子や有機ＥＬ素子を使用できる。イメージセンサ１０２はユーザの顔周辺の景色を画像として取り込む目的として、ＣＭＯＳカメラであってよく、ＣＣＤカメラであってよい。
【００４２】
画像処理部１０３はイメージセンサ１０２で取り込んだ画像の動き情報を検出し、制御部１０４へ入力する。制御部１０４は画像の動き情報に従い、アングル切り替え制御を決定し、信号送信部１０５へ入力する。
【００４３】
信号送信部１０５はネットワーク１２０を介し、映像コンテンツ配信サーバー１１０に対してアングル切り替えのための制御信号を送出する。信号受信部１０６はネットワーク１２０を介し、映像コンテンツ配信サーバー１１０から画像信号を受け取る。ディスプレイ１０１は、信号受信部１０６が受け取った画像情報を表示できる。
【００４４】
図２は画像表示装置１００の外観の例である。画像表示装置１００の筐体に、ディスプレイ１０１とイメージセンサ１０２を同じ向きになるよう配置する。
【００４５】
図３（ａ）は画像表示装置１００とユーザを上から見た関係図である。イメージセンサ１０２はユーザの顔周辺の景色として、図３（ｂ）に示すような写像３０１Ａを取り込む。
【００４６】
また、図４（ａ）は画像表示装置１００を左右に傾けた時の関係図である。この場合、イメージセンサ１０２はユーザに向かって右側を映す事になり、図４（ｂ）の写像３０１Ｂに示すように、写像内におけるユーザの顔は左側に移動する。画像表示装置１００を逆方向に傾けた場合には、写像内のユーザの顔は右側に移動する。
【００４７】
図５（ａ）は画像表示装置１００とユーザを横から見た関係図である。図３（ｂ）と同様、図５（ｂ）に示す写像３０１Ａはユーザ顔周辺の景色である。図６（ａ）は画像表示装置１００を上に傾けた時の関係図である。この場合、図６（ｂ）の写像３０１Ｃに示すように、画像表示装置１００を上に傾けた時イメージセンサ１０２はユーザの頭上を向くことになり、したがって写像内のユーザの顔は下方向に移動する。逆に、下に倒せばユーザの顔は上方向に移動することが分かる。
【００４８】
図７は画像処理部１０３で行う動き情報検出の概念図である。時間的に前後した２枚の写像を格子状のブロックに分割し、互いの写像から類似したパターンを検索することでブロックの動きが検出できる。
【００４９】
図７では写像を縦６ブロック、横６ブロックに分割している。図７（ａ）に示す写像３０１Ｄではブロック７０１に存在したパターンが、図７（ｂ）に示す写像３０１Ｅでブロック７０２に存在している事が分かる。したがってブロック７０１とブロック７０２の位置関係より、図７（ｃ）に示す動きベクトル７０３が求められる。
【００５０】
前記方法は現在の動画圧縮技術で使われている動きベクトル検出方法と基本的に同じである。ブロックの大きさとして、ＭＰＥＧ−４動画圧縮技術では８×８画素、Ｈ．２６４動画圧縮技術では４×４画素がそれぞれ使用されている。
【００５１】
また、図１に示す画像処理部１０３にはイメージセンサ１０２から、時間的に連続する写像が入力される。画像処理部１０３は時間的に前後の画像を比較し、ユーザの顔が写像内でどの方向に動いたかを検出する。
【００５２】
画像制御部１０３は判定した動き情報を制御部１０４に通知する。制御部１０４は受け取った動き情報に従い、アングル制御信号を生成する。アングル制御信号は、右方向、左方向、上方向、下方向の４種類である。
【００５３】
制御部１０４で生成されたアングル制御信号は、信号送信部１０５にてネットワーク１２０に適した形へ符号化および変調がなされ、送出される。映像コンテンツ配信サーバー１１０はネットワーク１２０からアングル制御信号を受信する。
【００５４】
図８は映像コンテンツ配信サーバー１１０側に設置する複数台のカメラ１１１を横方向に配置する例である。この例では、競技場８０１の周囲を囲むように８台のカメラ１１１を設置し、伝送路８０２によって映像コンテンツ配信サーバー１１０に接続している。映像コンテンツ配信サーバー１１０は、８台のカメラ全ての画像情報を集め、うち１台分の情報を選択しネットワーク１２０へ送ることができる。
【００５５】
前記映像コンテンツ配信サーバー１１０は、画像表示装置１００からのアングル制御信号に従い、カメラ１１１の切り替えを行う。図８の例では、前記アングル制御信号が左方向であった場合、カメラ１１１を時計回りに切り替える。また前記アングル制御信号が右方向であった場合、カメラ１１１を反時計周りに切り替える。すなわちユーザが画像表示装置１００を左右に傾けることで、競技場８０１の周囲を回るようなアングル切り替え操作を実現できる。
【００５６】
この場合、画像表示装置１００Ａを所有するユーザＡが右回りを指定し、画像表示装置１００Ｂを所有するユーザＢが左回りを指定した場合でも、それぞれのカメラ１１１の映像を時分割で転送することにより、ユーザＡは右回りの映像を見ることができ、ユーザＢは左回りの映像を見ることができる。
【００５７】
図９は映像コンテンツ配信サーバー１１０側のカメラ１１１を縦方向に配置する例である。この例では、高さを変えて３台のカメラ１１１を配置している。図８の場合と同様、映像コンテンツ配信サーバー１１０はアングル制御信号に従ってカメラ１１１の切り替えを行うことができる。
【００５８】
前記映像コンテンツ配信サーバー１１０はアングル制御信号が上方向であれば一つ上のカメラ１１１へ、下方向であれば一つ下のカメラ１１１へ切り替えを行う。すなわちユーザが画像表示装置１００を上下に傾けることで、競技者に近い視点から見るか、俯瞰的な視点から見るかのアングル切り替えができる。
【００５９】
映像コンテンツ配信サーバー１１０によって選択された画像信号は、ネットワーク１２０に適した符号化および変調が行われ、前記ネットワーク１２０を介して信号受信部１０６に受信される。信号受信部１０６は画像の復調および復号化を行い、画像信号をディスプレイ１０１に伝達する。ディスプレイ１０１は、前記手続きによって得られた画像を表示する。
【００６０】
なお、第１の実施形態において、映像情報はカメラ１１１から取得していたが、図１０に示すようにカメラをファイルサーバー１００１に置き換えてもよい。この場合、ファイルサーバー１００１にはマルチアングル撮影された映像コンテンツが蓄積されており、ユーザはアングルを選択しながら映像を観賞することができる。
【００６１】
（第２の実施形態）
図１１は本発明の第２の実施形態における画像表示システムの構成図を示すものである。図１１において、画像表示装置１００はネットワーク１２０を介し、デジタルビデオレコーダー１１０１、ＰＣ１１０２などの映像記録装置と情報通信を行うことができる。
【００６２】
ネットワーク１２０は家庭用であってよく、業務用であってよく、有線であってよく、無線であってよい。画像表示装置１００はネットワーク１２０を介してデジタルビデオレコーダー１１０１、ＰＣ１１０２にアングル制御信号を送信し、かつ映像情報を受信することができる。
【００６３】
（第３の実施形態）
図１２は本発明の第３の実施形態における画像表示システムの構成図を示すものである。図１２において、マルチアングル撮影された映像コンテンツは、外部記録媒体１２０２に保存されている。信号送信部１０５は、ファイルシステム１２０１に対しアングル制御信号を送信する。
【００６４】
ファイルシステム１２０１は、アングル制御信号に従って外部記録媒体１２０１から画像情報を取得する。ファイルシステム１２０１は取得した画像情報を信号受信部１０６へ出力する。信号受信部１０６が受信した画像情報は、ディスプレイ１０１で表示できる。
【００６５】
ここでいう外部記録媒体１２０２は、ＣＤ、ＤＶＤ等の光ディスクであってよく、フラッシュメモリー等の半導体記録素子であってよく、磁気ディスクであってよい。受信した映像情報は、ディスプレイ１０１で表示できる。
【００６６】
（第４の実施形態）
図１３は本発明の第４の実施形態における画像表示システムの構成図を示すものである。図１３において、マルチアングル撮影された映像コンテンツは、外部記録装置１３０２に蓄積されており、画像表示装置１００は伝送路１３０３を介して内部の記録装置１３０１へ映像コンテンツのコピーを行うことができる。伝送路１３０３の種類は限定せず、インターネットであってよく、ＬＡＮであってよく、放送網であってよい。
【００６７】
本実施形態では、コンテンツを観賞する前にあらかじめ外部記録装置１３０２から記録装置１３０１へ映像コンテンツのコピーが行われているものとする。信号送信部１０５は、ファイルシステム１２０１に対しアングル制御信号を送信する。ファイルシステム１２０１は、アングル制御信号に従って記録装置１３０１から画像情報を取得する。ファイルシステム１２０１は取得した画像情報を信号受信部１０６へ出力する。信号受信部１０６が受信した画像情報は、ディスプレイ１０１で表示できる。
【００６８】
記録装置１３０１はハードディスク等の磁気ディスクであってよく、ＤＲＡＭ、フラッシュメモリー等の半導体記録素子であってよい。
【００６９】
なお、上記の実施形態では、イメージセンサ１０２でユーザの顔を撮影し、その動き情報を検出することを説明したが、イメージセンサ１０２の被写体はユーザの顔に限定されるものではない。例えば、ユーザの手の動き、あるいはユーザではない特定の人物の動作、物体の動き等を検出し、表示する映像を切替えることもできる。また、上記の説明では、動き情報に対応してマルチアングル映像のアングルを選択する場合を説明したが、被写体の動きに対応して、映像の倍率、解像度、明るさ等を切替えることも可能である。
【産業上の利用可能性】
【００７０】
本発明の画像表示装置、画像表示方法および画像表示システムは、画像表示装置に設置されたイメージセンサを用いることで映像観賞時のカメラアングル変更を容易にするものであり、実況中継、映像配信等の情報通信分野に利用できる。
【００７１】
また、施設の見学や史跡、名勝を見る目的で使用すれば、教育、観光分野に利用できる。農場や市場、工場の生産ラインの監視にも使えるため、商品情報のトレーサビリティ向上目的として商業分野に利用できる。
【００７２】
また、ＣＣＴＶ本来の目的である遠隔地からの監視として、防犯、セキュリティ分野に利用できる。離れた場所からユーザの任意のアングルに変えて対象を見る事ができるため、介護、育児、医療分野への応用も可能である。
【図面の簡単な説明】
【００７３】
【図１】本発明の第１の実施形態における画像表示システムの構成図
【図２】画像表示装置の外観の例
【図３】画像表示装置とユーザを上から見た関係図
【図４】画像表示装置を左右に傾けた時の関係図
【図５】画像表示装置とユーザを横から見た関係図
【図６】画像表示装置を上下に傾けた時の関係図
【図７】画像処理部における動き情報検出の概念図
【図８】サーバー側カメラを横方向に配置する例
【図９】サーバー側カメラを縦方向に配置する例
【図１０】ファイルサーバーから映像コンテンツを取得する構成例
【図１１】本発明の第２の実施形態における画像表示システムの構成図
【図１２】本発明の第３の実施形態における画像表示システムの構成図
【図１３】本発明の第４の実施形態における画像表示システムの構成図
【図１４】ＣＣＴＶシステムの概略構成図
【符号の説明】
【００７４】
１００  画像表示装置
１０１  ディスプレイ
１０２  イメージセンサ
１０３  画像処理部
１０４  制御部
１０５  信号送信部
１０６  信号受信部
１１０  映像コンテンツ配信サーバー
１１１  カメラ
１２０  ネットワーク
【図１】
2007020092.tif 000003
【図２】
2007020092.tif 000004
【図３】
2007020092.tif 000005
【図４】
2007020092.tif 000006
【図５】
2007020092.tif 000007
【図６】
2007020092.tif 000008
【図７】
2007020092.tif 000009
【図８】
2007020092.tif 000010
【図９】
2007020092.tif 000011
【図１０】
2007020092.tif 000012
【図１１】
2007020092.tif 000013
【図１２】
2007020092.tif 000014
【図１３】
2007020092.tif 000015
【図１４】
2007020092.tif 000016